(57)【要約】  かみそりシステム１０であって、このかみそりシステム１０は、ハウジング用取り付け面１１０を備える接続基部２０を有するハンドル１２と、ガード３４、キャップ、ハウジングにガード及びキャップとの間で取り付けられる少なくとも１つの刃、及び相互接続部材５４を有するハウジング３２とを備える。相互接続部材であって、剃る動きの間にハウジングを接続基部に固定するハウジング用取り付け面と磁気的に係合するハンドル用取り付け面５６を有する。接続基部と相互接続部材との間の磁気的引力方向に概ね直角な方向で、接続基部と摺動可能に係合する相互接続部材。
2017501852.tif 000002
【特許請求の範囲】
【請求項１】
ハウジング用取り付け面（１１０）を備えた接続基部（２０）を有するハンドル（１２）と、
ガード（３４）と、キャップ（３６）と、前記ガード（３４）と前記キャップ（３６）との間で前記ハウジング（３２）に取り付けられた少なくとも１つの刃（３８）と、剃る動きの間、前記接続基部（２０）に前記ハウジング（３２）を固定する、前記ハウジング（３２）の取り付け面（５６）に磁気的に係合するハンドル用取り付け面（５６）を備える相互接続部材（５４）とを有するハウジング（３２）と、を含み、
前記相互接続部材（５４）は、前記接続基部（２０）と前記相互接続部材（５４）との間の磁気引力の方向（Ｆ１）に概ね直角な方向（Ｆ２）で前記接続基部（２０）に摺動可能に係合する剃毛かみそりシステム（１０）。
【請求項２】
前記相互接続部材（５４）は、前記接続基部（２０）の一対の壁部（１２０、１２２）の相互間に位置付けられる、請求項１に記載の剃毛かみそりシステム（１０）。
【請求項３】
前記接続基部（２０）は、前記ハンドル（１２）の基端部（１６）に取り付けられ、前記接続基部（２０）は、前記ハンドル（１２）の前記基端部（１６）に対して回転する、請求項１又は請求項２に記載の剃毛かみそりシステム（１０）。
【請求項４】
前記ハンドル用取り付け面は、少なくとも１つの磁石要素（５８、６０）を有する、請求項１乃至請求項３のうちいずれか一項に記載の剃毛かみそりシステム（１０）。
【請求項５】
前記ハンドル（１２）用取り付け面の前記少なくとも１つの磁石要素は、前記ハンドル（１２）の前記接続基部（２０）の金属面を磁気的に引き付ける、請求項４に記載の剃毛かみそりシステム（１０）。
【請求項６】
前記ハンドル（１２）の前記接続基部（２０）は、少なくとも１つの磁石要素（５８、６０）を有する、請求項１乃至請求項５のうちいずれか一項に記載の剃毛かみそりシステム（１０）。
【請求項７】
前記ハンドル（１２）の接続基部（２０）の前記少なくとも１つの磁石要素（５８、６０）は、前記ハンドル用取り付け面（５６）の金属面を磁気的に引き付ける、請求項６に記載の剃毛かみそりシステム（１０）。
【請求項８】
前記ハンドル用取り付け面（５６）は、前記ハウジング３２を前記接続基部（２０）に交換可能に固定するように、前記ハンドル（１２）の前記接続基部（２０）における少なくとも１つの対応する磁石要素を磁気的に引き付ける少なくとも１つの磁石要素（５８、６０）を有する請求項１に記載の剃毛かみそりシステム（１２）。
【請求項９】
前記相互接続部材（５４）は、前記ハンドル（１２）の対応する開口部を受け入れるような寸法である開口部（７２）を画定する、請求項１乃至請求項８のうちいずれか一項に記載の剃毛かみそりシステム（１０）。
【請求項１０】
前記開口部（７２）は、平滑な一対の側壁部（７８、８０）と、前壁部（７４）と、後壁部（７６）とによって画定される、請求項９に記載の取り外し可能なかみそりカートリッジ（１０）。
【請求項１１】
前記ハンドル用取り付け面（５６）は、２つの離間された磁石要素（５８、６０）を含む、請求項１乃至請求項１０のうちいずれか一項に記載の剃毛かみそりシステム（１０）。
【請求項１２】
前記相互接続部材（５４）は、前記ハウジング（３２）に堅固に固定される、請求項１乃至請求項１１のうちいずれか一項に記載の剃毛かみそりシステム（１０）。
【請求項１３】
前記接続基部（２０）の前記中間壁部（１２０）は、前記相互接続部材（５４）の開口部（７２）によって受け入れられる、請求項１乃至請求項１２のうちいずれか一項に記載の剃毛かみそりシステム（１０）。
【請求項１４】
前記ハンドル（３２）は、細長い把持部分（１４）を含み、前記相互接続部材（５４）が前記接続基部（２０）と摺動可能に係合する方向は、前記細長い把持部分（１４）に対し平行である、請求項１乃至請求項１３のうちいずれか一項に記載の剃毛かみそりシステム（１０）。
【請求項１５】
前記ハンドル用取り付け面（５６）は、対応するポケットの内部に取り付けられた磁石要素（５８、６０）を、それぞれ、有する一対のポケット（６２、６４）を画定する、請求項１乃至請求項１４のうちいずれか一項に記載の剃毛かみそりシステム（１０）。
【発明の詳細な説明】
【技術分野】
【０００１】
本発明は、剃毛かみそり及びかみそりカートリッジに関し、より詳しくは、ハンドルに取り付けるための磁石要素を有する取り外し可能な剃毛かみそりカートリッジに関する。
【背景技術】
【０００２】
今日入手可能なたいていの湿式剃毛システムは、ハンドルに取り付ける取り外し可能な刃カートリッジを使用する。刃の切れ味が悪くなった後、刃カートリッジは、廃棄され、新しい刃カートリッジがハンドルに取り付けられる。カートリッジをかみそりハンドルに取り付けるように様々な技術が使用されてきた。１つの例は、ハンドルにカートリッジを所望の角度で固定するための、ハンドルとカートリッジとの間のダブテール連結構成を含む。このようなシステムの例が、Ｄａｗｉｄｏｗｉｃｚ  ｅｔ  ａｌに発行された、米国特許第３，７８３，５１０号の「ＲＡＺＯＲ  ＨＡＶＩＮＧ  ＴＡＮＤＥＭＬＹ  ＭＯＵＮＴＥＤ  ＢＬＡＤＥＳ  ＢＯＮＤＥＤ  ＩＮ  Ａ  ＤＩＳＰＯＳＡＢＬＥ  ＣＡＲＴＲＩＤＧＥ」に見られる。更に、一部の技術は、制御された方法でカートリッジが主軸線の周りに回転することが可能になるような方法で、カートリッジをハンドルに取り付ける工程を更に含む。カートリッジを回転可能に取り付けることにより、カートリッジに取り付けられている刃が、ハンドルの向きに関係なく皮膚面の輪郭をなぞることが可能になる。カートリッジは、制限の間で回転可能であり、通常は、ハンドルに対して好ましいニュートラルな角度位置に向かって付勢される。
【先行技術文献】
【特許文献】
【０００３】
【特許文献１】米国特許第３，７８３，５１０号
【発明の概要】
【発明が解決しようとする課題】
【０００４】
多くの他の設計が展開されてきたが、それらは全て、刃カートリッジをハンドルへと固定する一時的機械的インターロックに依存する。したがって、解放機構がハンドルにもまた必要となる。このような構成は、外観がかなり嵩高であり、製造及び組立てのコストが高い。有用で、迅速で、容易で、直感的な剃毛ハンドルへの取り付けを備えた取り外し可能なかみそりへのニーズが存在する。
【課題を解決するための手段】
【０００５】
１つの態様では、本発明は、概して、ハンドルを備えた単純で効率的な剃毛かみそりシステムを特徴とし、このハンドルは細長い把持部分、基端部及び遠位端部を有する。接続基部２０は、ハンドルの基端部に取り付けられる。取り外し可能なかみそりカートリッジは、皮膚係合部材、キャップ、及び皮膚係合部材とキャップとの間でハウジングに取り付けられた少なくとも１つの刃を備えたハウジングを有する。ハウジングは、ハンドル用取り付け面を備えた相互接続部材を有し、このハンドル用取り付け面は接続基部の対応する面と解放可能に係合される。ハンドル用取り付け面は、少なくとも１つの磁石要素を有し、この少なくとも１つの磁石要素は、取り外し可能かみそりカートリッジを接続基部に解放可能に固定するように、ハンドルの接続基部の少なくとも１つの対応する磁石要素を引き付ける。所望の場合、特定の実施形態は、相互接続部材を任意選択的に含んでもよく、この相互接続部材は、磁石要素の引力の方向に概ね直角な方向において、接続基部に摺動可能に係合する。
【０００６】
別の態様では、本発明は、概して、ハウジングを有する単純で効率的な取り外し可能なかみそりカートリッジを特徴とし、このハウジングは、ガードと、キャップと、及びガード及びキャップの間に少なくとも１つの刃とを備える。ハウジングは、ハンドル用取り付け面を備えた相互接続部材を有し、このハンドル用取り付け面は、少なくとも１つの磁石要素を備え、この磁石要素は対応する磁石要素を引き付ける。所望の場合、特定の実施形態は、ハンドルの対応する開口部を受け入れるような寸法である開口部を画定する相互接続部材を任意選択的に含んでもよい。所望の場合、特定の実施形態は、任意選択的に平滑な一対の側壁部、前壁部、及び後壁部によって画定された開口部を含んでもよい。所望の場合、特定の実施形態は、任意選択的にハウジングにしっかりと固定される相互接続部材を含んでもよい。
【０００７】
本発明の１つ以上の実施形態の詳細は、添付の図面及び下記の説明で述べられる。ある特定の実施形態は、特に明記しない限り、一般的に開示されるが組み合わせて明示的に例証又は要求されない本発明の要素又は構成部品を組み合わせることができることが理解される。本発明の他の特徴及び利点は、説明及び図面、並びに特許請求の範囲から明らかになるだろう。
【図面の簡単な説明】
【０００８】
【図１】剃毛かみそりシステムの斜視図である。
【図２Ａ】図１の剃毛かみそりシステムに組み込まれ得る取り外し可能な剃毛かみそりカートリッジの正面斜視図である。
【図２Ｂ】図２Ａの取り外し可能な剃毛かみそりカートリッジの背面斜視図である。
【図３】図１の剃毛かみそりシステムに組み込まれ得る接続基部の正面斜視図である。
【図４】図３の接続基部の背面斜視組立図である。
【図５Ａ】図１の剃毛かみそりシステムの正面斜視組立図である。
【図５Ｂ】図１の剃毛かみそりシステムの背面斜視組立図である。
【図６】図１の剃毛かみそりシステムの拡大正面図である。
【図７】図１のかみそりの概略正面図である。
【図８】図６の線８−８に沿った剃毛かみそりシステムの加熱器バーのかみそりカートリッジ断面図である。
【発明を実施するための形態】
【０００９】
図１を参照すると、剃毛かみそりシステム１０の斜視図が示される。この剃毛かみそりシステム１０は、基端部１６と遠位端部分１８とを備えた細長い把持部分１４を有するハンドル１２を含んでもよい。接続基部２０は、ハンドル１２の基端部１６に取り付けられてもよい。特定の実施形態では、接続基部２０は、ハンドル１２の基端部１６に回転可能に取り付けられてもよく、これにより、細長い把持部分１４に概ね直角な回転軸線Ｐ１を中心とした動きが可能になる（例えば、接続基部２０は、ハンドル１２の、及び／又は取り外し可能なかみそりカートリッジ３０の１つ以上のピン部材２５を中心として回転してもよい。）加熱器バー２２は、ハンドル１２の接続基部２０に接合されてもよい（すなわち、加熱器バー２２は、通常の剃毛条件下では取り除くことができない）。したがって、加熱器バー２２は、ハンドル１２に対して回転してもよい。加熱器バー２２は、剃る動きの間の温まる感覚を提供するように、ハンドル１２内部に位置付けられた電源（例えば、図示されない再充電可能バッテリ）に動作可能に接続されてもよい。ハンドル１２は、加熱器バー２２の動作を制御するためのスイッチ２４を有してよい。
【００１０】
剃毛かみそりシステム１０は、取り外し可能なかみそりカートリッジ３０を含んでもよい。取り外し可能なかみそりカートリッジ３０は、ガード３４と、キャップ３６と、ハウジング３２にキャップ３６とガード３４との間で取り付けられた少なくとも１つ以上の刃３８と、を有するハウジング３２を有してもよい。ガード３４及びキャップ３６は、ガード３４及びキャップ３６の接線方向にある剃毛面を画定してもよい。ガード３４は、刃３８に対して概ね平行に延びる中実のバーであってもよく、又は分割されたバーであってもよい。特定の実施形態では、ガード３４は、刃３０の前に剃る動きの間の皮膚を伸ばすための皮膚係合部材４０（例えば、複数のフィン）を備えてもよい。特定の実施形態では、皮膚係合部材４０は、ハウジング３２に対してインサート射出成形又は共射出成形されてもよい。しかしながら、接着剤、超音波溶接、又は機械的締結具などの他の既知の組立て方法もまた使用されてよい。皮膚係合部材４０は、ハウジング３２よりも軟性（すなわち、低デュロメータ硬度）の材料から成形されてもよい。例えば、皮膚係合部材４０は、約２０、３０、又は４０〜約５０、６０、又は７０のショアＡ硬さを有してもよい。皮膚係合部材４０は、熱可塑性エラストマー（ＴＰＥ）又はゴムで作製され得、例としては、シリコン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられるが、これらに限定されない。特定の実施形態では、皮膚係合部材４０は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））で構成されてよい。より軟質の材料は、皮膚の伸張を増し、並びに、剃毛中のユーザーの皮膚により好ましい感触を提供し得る。より軟質の材料はまた、剃毛中のユーザーの皮膚に当たるハウジング３２及び／又はフィンのより硬い材料の不快な感覚を感じ難くするのを補助する。
【００１１】
特定の実施形態では、刃３８は、ハウジング３２に取り付けられて、１つ以上のクリップ４２ａ及び４２ｂによって固定されてもよい。当業者に良く知られた他のアセンブリ方法もまた、刃３８のハウジング３２への固定及び／又は取り付けに使用してもよく、それらは、ワイヤラッピング、冷間成形、熱間かしめ、インサート成形、超音波溶着、及び接着剤を含むが、これらに限定されない。クリップ４２ａ及び４２ｂは、熱を伝導する及び刃３８が腐食するのを防止するのを助けるための犠牲アノードとして作用するアルミニウムなどの金属を含んでもよい。５枚の刃３８が示されているが、ハウジング３２は、取り外し可能なかみそりカートリッジ３０の所望の性能及び費用に応じて、これよりも多い枚数又は少ない枚数の刃を有してよい。以下に詳述されるように、一旦刃３８の切れ味が悪くなる（又は損傷する）と、消費者は、接続基部２０から取り外し可能なかみそりカートリッジ３０を摺動して係合離脱させ、使用された取り外し可能かみそりカートリッジ３０を新しいものと取り替えてもよい。取り外し可能かみそりカートリッジ３０は、接続基部２０上をハンドル１２の細長い把持部分１４に対し概ね平行な方向へと及び方向から摺動されてもよい。
【００１２】
キャップ３６は、ハウジング３２に取り付けられた別個の成形品（例えば、剃毛補助剤が充填されたリザーバ）、又は押出成形構成要素（例えば、押出成形された潤滑ストリップ）であってもよい。特定の実施形態では、キャップ３６は、皮膚を支持するための及び剃毛面を画定するためのプラスチック又は金属のバーであってもよい。キャップ３６は、ハウジング３２と同じ材料で成形若しくは押出成形されてよく、又は剃毛中の快適さを増すように、１つ以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでよい。ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレンビニルアセテートコポリマー、ポリプロピレン／ポリスチレンブレンドなどのブレンドを含むが、これらに限定されない、使用され得る適して非水溶性ポリマーは、Ｍｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してよい。
【００１３】
適した皮膚潤滑性の水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートが挙げられてよい。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（Ｍｅｉｓｅｉ  Ｃｈｅｍｉｃａｌ  Ｗｏｒｋｓ（Ｋｙｏｔａ，Ｊａｐａｎ）から入手可能）として知られるポリエチレンオキシドが挙げられてよい。これらのポリエチレンオキシドは、約１０万〜６００万、例えば、約３０万〜５００万の分子量を有してよい。ポリエチレンオキシドは、約５００万の平均分子量を有する、約４０〜８０％のポリエチレンオキシド（例えば、ＰＯＬＹＯＸ  ＣＯＡＧＵＬＡＮＴ）と、約３０万の平均分子量を有する約６０〜２０％のポリエチレンオキシド（例えば、ＰＯＬＹＯＸ  ＷＳＲ−Ｎ−７５０）と、のブレンドを含んでよい。ポリエチレンオキシドブレンドはまた、ＰＥＧ−１００などの低分子量（すなわち、ＭＷ＜１０，０００）ポリエチレングリコールの最大約１０重量％を含有してよい。
【００１４】
剃毛補助剤複合材料はまた、所望に応じて、シクロデキストリン（cylcodextrin）、ポリエチレングリコール（例えば、１〜１０重量％）など低分子量の水溶性放出促進剤、架橋ポリアクリル酸（例えば、２〜７重量％）など水膨潤性放出促進剤、着色剤、酸化防止剤、防腐剤、殺菌剤、ひげ軟化剤、収れん剤、除毛剤、薬剤、コンディショニング剤、加湿剤、冷却剤などと皮膚鎮静剤との包接錯体を含んでよい。
【００１５】
図２Ａを参照すると、図１の取り外し可能な剃毛かみそりカートリッジ３０の正面斜視図が示されている。各クリップ４２ａ及び４２ｂの第１端部分４４ａ及び４４ｂは、ハウジング３２の背部４８にある各第１開口４６ａ及び４６ｂそれぞれを通って延びてもよい。クリップ４２ａ及び４２ｂのそれぞれの第２端部分５０ａ及び５０ｂは、刃３８を適所に固定するようにハウジングの正面５２の周りを覆ってもよい。以下に詳細に記載するように、クリップ４２ａ及び４２ｂを開口４６ａ及び４６ｂに挿入することにより、刃を保持するためのクリップ４２ａ及び４２ｂのハウジング３２への固定強度を増加させてもよく、更に、クリップ４２ａ及び４２ｂがハウジング３２の正面５２の周りに覆うことにより、（図３に図示されるような）加熱器バー２２からクリップ４２ａ及び４２ｂへの熱伝達を改善してもよい（例えば、加熱器バー２２はクリップ４２ａ及び４２ｂに接触してもよい）。したがって、熱は、取り外し可能な剃毛かみそりカートリッジ３０のより大きな表面積へを適用されてもよい。皮膚係合部材４０及び／又はガード３４は、ハウジング３２の正面５２及び／又はクリップ４２ａ若しくは４２ｂを超えて延びてもよい。
【００１６】
図１に示すように、ハウジング３２は、取り外し可能な剃毛かみそりカートリッジ３０をハンドル１２に取り付けるための内部接続部材５４を有してもよい。内部接続部剤５４は、ハンドル用取り付け面５６を有してもよく、これは、ハンドル１２の接続基部２０の対応する面と係合させるためのものである。ハンドル用取り付け面５６は、少なくとも１つの磁石要素５８及び６０を有してもよい。ハンドル用取り付け面５６は、磁石要素５８及び６０を備えた少なくとも１つのポケット６２及び６４を画定してもよく、この磁石要素５８及び６０は、対応するポケット６２及び６４内に取り付けられる。ハンドル用取り付け面５６は、単一の磁石要素を備えた細長いポケット、又は対応する磁石要素を保持するための一対のより小型の離間したポケットを有してもよい。磁石要素５８及び６０によって及ぼされる力Ｆ１の方向は、取り外し可能剃毛かみそりカートリッジ３０を取り外すように、及び取り付けるように適用される力Ｆ２を概ね横断してもよい。これにより、取り外し可能剃毛かみそりカートリッジ３０を取り付ける力及び取り外す力は、消費者が取り扱いが楽になるように低減され得る（取り外す力に対して平行な方向に及ぼされる磁気力と比較して）。加えて、取り外し可能なかみそりカートリッジ３０の取り付ける力及び／又は取り外す力は、より勾配が付けられてもよい。例えば、磁石要素によって及ぼされる力が取り付ける力／取り外す力に対して平行な方向である場合、より急で、より大きな力が必要とされてもよい。
【００１７】
図２Ｂを参照すると、図２Ａの取り外し可能な剃毛かみそりカートリッジ３０の背面斜視図が図示されている。特定の実施形態では、内部接続部材５４は、ハウジング３２の一部であってもよい。しかしながら、内部接続部材５４もまた、ハウジング３２に別個に取り付けられてもよく、又は接合されてもよい。内部接続部材５４は、ハウジング３２の底面７０から延びてもよい。開口部７２は、ハンドル１２の接続基部２０の対応する特徴部と嵌合するための内部接続部材５４によって画定されてもよい。内部接続部材５４は、開口部７２を画定する内部前壁部、後壁部及び対向する側壁部（それぞれ７４、７６、７８及び８０）を有してもよい。特定の実施形態では、内部壁部７４、７６、７８、及び８０は平滑であってもよい。例えば、内部壁部７４、７６、７８、及び８０は、内部接続部材を接続基部に固定するための任意のラッチ機構又は特徴部を有しなくてもよい。このようなラッチ機構は、剃毛中、磁石要素５８及び６０がハンドルに対して取り外し可能なかみそりカートリッジ３０を固定するように使用されるので、必要とされなくてもよい。特定の実施形態では、開口部７２は、内部接続部材５４と内部接続基部２０との適切な位置合わせ、及び磁石要素６０及び５８と接続基部の１つ以上の対応する磁石要素との適切な位置合わせを提供してもよい。
【００１８】
図３を参照して、接続基部２０の正面斜視図が示されている。接続基部２０の加熱器バー２２は、図１に示されるように、刃３８に対して概ね平行に延びる細長い部分８２を有してもよい（例えば、ハンドル１２の細長い把持部分１４に直角である）。一対の横方向端部分８４及び８６は、細長い部分８２から刃３８を概ね横切る方向に延びてもよい（例えば、刃３８に向かって及び／又はハンドル１２の把持部分１４から離れるように）。横方向端部分８４及び８６のそれぞれは、各ノッチ８８及び９０を有してもよい。例えば、ノッチ８８及び９０は、横方向端部分８４及び８６の各後端壁部９２及び９４上に配置されてもよい。ノッチ８８及び９０は、各クリップ４２ａ及び４２ｂの少なくとも一部分を受け入れるような寸法であってもよい。加熱器バー２２は、ハウジング３２の少なくとも一部分を受け入れる及び／又は支持するような寸法の凹部９６を画定してもよい（例えば、皮膚接触部材４０）。凹部９６は、加熱器バー２２の細長い部分８２の後壁部９８及び横方向端部分８４及び８６のそれぞれの側壁部１００及び１０２によって画定されてもよい。加熱器バー２２はまた、加熱器バー２２の皮膚接触面１０６の下方、後方及び下方に位置付けされる凹部面１０４（すなわち、前壁部及び側壁部に接続する底壁部）を有してもよい。凹部面は、ハウジングの少なくとも一部分を支持してもよい（例えば、皮膚接触部材４０）。
【００１９】
図４を参照して、図３の接続基部２０の背部斜視組立図が示されている。接続基部２０は、取り外し可能かみそりカートリッジ３０のハンドル用取り付け面５６に対応するハウジング用取り付け面１１０を有してもよい。ハウジング用取り付け面１１０は、少なくとも１つの磁石要素１１２及び１１４を有してもよく、この磁石要素１１２及び１１４は、図２Ａのハンドル用取り付け面５６の対応する磁石要素６０及び５８に係合する。例えば、ハウジング用取り付け面１１０は、単一の磁石要素を備えた細長いポケット、又は一対のより小型の離間したポケット１１６及び１１８を有してもよく、この離間したポケット１１６及び１１８は、対応する磁石要素１１２及び１１４（図示されている）を保持するためのものである。接続基部２０は、ハウジング用取り付け面１１０及び接続基部の１２０の前壁部１２２から離間した中間壁部１２０を有してもよい。中間壁部１２０は、ハウジング３２の相互接続部材５４の開口部７２と嵌合するような寸法であってもよい。
【００２０】
接続基部２０は、回転戻り力を提供するための少なくとも１つの付勢磁石要素１２４及び１２６を有してもよい。例えば、接続基部２０は、付勢磁石要素を受け入れるような寸法のポケット１３２及び１３４をそれぞれ画定する一対の離間されたタブ１２８及び１３０を有してもよい。以下でより詳しく説明するように、接続基部２０の付勢磁石要素１２４及び１２６は、ハンドル１２の対応する付勢磁石要素と反発してもよい。各タブ部材１２８及び１３０は、ハンドル１２の対応する特徴部を受け入れるような寸法である開口部１３６及び１３８を画定してもよい。各開口部１３６及び１３８は、対応するタブ部材１２８及び１３０の各側端壁部１４０及び１４２へと延びてもよい。側端壁部１４０及び１４２は、磁石要素１２６及び１２４の各ポケット１３４及び１３２を画定する上壁１４４及び１４６に対して概ね横断してもよい。
【００２１】
図５Ａ及び５Ｂを参照して、図１の剃毛かみそりシステム１０の正面斜視組立図及び背面斜視組立図が、それぞれ図示されている。図５Ａに示されるように、接続基部２０は、ハンドル１２の基端部１６に対して回転してもよい。ハンドル１２の基端部１６は、一対の離間されたアーム１５０及び１５２を有してもよい。各アーム１５０及び１５２は、付勢磁石要素１５４及び１５６を有してもよく、この付勢磁石要素１５４及び１５６は、タブ部材１２８及び１３０の対応する付勢磁石要素１２４及び１２６と反発する。各アーム１５０及び１５２の端部１５８及び１６０は、タブ部材１２８及び１３０の各開口部１３６及び１３８の内部に位置付けられてもよい。これにより、各アーム１５０及び１５２の端部１５８及び１６０は、対応するタブ１２８及び１３０の上壁１４４及び１４６と底壁１７０及び１７２との間の対応する開口部１３６及び１３８の内部で回転してもよい。上壁１４４及び１４６並びに底壁１７０及び１７２はまた、過剰回転を防止するための停止面として機能してもよい。安静位において、各アーム１５０及び１５２の端部１５８及び１６０は、各上壁部１４４及び１４６から離間されてもよく、これは、対応する付勢磁石要素により生成される反発力のためである（例えば、付勢磁石要素１５４は付勢磁石要素１２４を反発し、及び付勢磁石要素１５６は付勢磁石要素１２６を反発する）。
【００２２】
取り外し可能かみそりカートリッジ３０は、相互接続部材５４を接続基部２０に係合することによりハンドル１２に取り付けられてもよい。接続基部２０の中間壁部１２０は、相互接続部材５４の開口部７２によって受け入れられてもよい。ハンドル用取り付け面５６は、取り外し可能かみそりカートリッジ３０を接続基部２０に一時的に固定するように、接続基部２０のハウジング用取り付け面１１０と係合してもよい。磁石要素１１２及び１１４は、対応し対向する磁石要素５８及び６０と位置合わせされ、及びこれらに対して磁気的に引き付けられてもよい。対向する磁石要素間（例えば、磁石要素１１２及び磁石要素５８の間）の力の方向は、相互接続部材５４を接続基部２０から取り外す及び接続基部２０に取り付けるのに必要とされる力に対して概ね横断してもよい（例えば、この力はハンドル１２の細長い把持部分１４に対して概ね平行であってもよい）。
【００２３】
図６は、取り外し可能なかみそりカートリッジ３０がハンドル１２に（接続基部２０によって）固定された状態の、図１の剃毛かみそりシステム１０の拡大正面図である。図６に示されるように、皮膚係合部材４０及び／又はガード３４は、加熱器バー２２の横方向端部分８４及び８６の間に位置合わせされてもよい。加えて、クリップ４２ａ及び４２ｂは、加熱器バー２２の各ノッチ８８及び９０内部に位置付けられてもよい。クリップ４２ａ及び４２ｂは、良好な熱伝導特性を有する金属（アルミニウムなど）を含んでもよい。ノッチ８８及び９０は、クリップ４２ａ及び４２ｂに対して熱の伝達を促進してもよい（例えば、加熱器バー２２は、ノッチ８８及び９０を介してクリップ４２ａ及び４２ｂに接触してもよい）。これにより、熱は、ブレード３８の前に伝達されるばかりでなく、ブレード３８の両側部並びに皮膚係合部材４０及び／又はガード３４にも伝達されてもよい。更に、ブレード３８は、金属（例えば、鉄）を含み、クリップと接触するので、熱はまた、剃る動きの間の皮膚表面に伝達される熱量を最適化しながら金属クリップ４２ａ及び４２ｂからブレード３８に伝達される。加熱器バー２２の皮膚に接触する面１０６は、皮膚に係合する部材４０及び／又はガード３４に実質的に隣接して位置付けられているのが示される。これにより、加熱器バー２２の皮膚に接触する面１０６、皮膚に係合する部材４０及び／又はガード３４は全て、剃る動きの間のユーザーの皮膚に接触されてもよい（例えば、同じ平面上で）。
【００２４】
図７を参照すると、剃毛かみそりシステム１０は、電流が、コンタクト２０４を介して１つ以上の電池７２などの電源２０２（例えば、１つ以上の使い捨て又は再充電可能バッテリなど）によって供給される電気回路２００を含んでもよい。電源２０２は、ハンドル１２の内部（例えば、細長い把持部分１４）に位置付けられてもよい。電気回路２００は、スイッチ２０６によって閉じられ、これはボタン２０８を押すことによってユーザーにより起動されてもよい。ＬＥＤ２１０は、電源が入っているか、又は入っていないかをユーザーに示すようにハンドル１２に提供される。ＬＥＤ２１０は、ハンドル１２の透明区域に配置されてもよく、又はハンドル１２内の開口部を貫通して延びてもよい。ＬＥＤ２１０は、図７に示される以外のハンドル１２の区域に配置してもよく、又は省略してもよい。ＬＥＤ２１０は、加熱器バー２２２が温かいか、温まりつつあるか、加熱器バー２２が熱すぎるかどうか、及び剃毛かみそりシステム１０の他の特性を示してもよい。
【００２５】
図８を参照して、加熱器バー２２は、放熱するのに効果的ないかなる材料も含んでもよい。加熱器バー２２に適した材料は、アルミニウム、銅、金、スチール、真鍮、ニッケルなどの金属、及び好ましい金属であるアルミニウムとこれらとの合金である。列挙された金属と類似した放熱特性を有する他の材料もまた、使用されてもよい。加熱器バー２２は、それが剃毛中のユーザーの皮膚と直接接触する状態になり得るので、ユーザーに改善された経験を提供するようにコーティングされるか、又は非平坦化されてもよい。例えば、加熱器バー２２は、小さな突出部若しくはバンプで非平坦化されてもよく、並びにポリフルオロカーボンなどのポリマー組成物でコーティングされてもよい。
【００２６】
加熱器バー２２は、上面若しくは皮膚に接触する面１０６、及び皮膚に接触する面１０６と反対側の下面又は第２面２２０を含む。加熱要素２２２は、加熱器バー２２の第２面２２０の下方に位置付けられる。加熱要素２２２は、抵抗性部材２２４と絶縁性部材２２６とを含んでもよい。抵抗性部材２２４は、第１面２２８及び反対側の第２面２３０を有する。絶縁性部材２２６は、第１面２３２及び反対側の第２面２３４を有してもよい。絶縁性部材２２６の第１面２３２は、加熱器バー２２の第２面２２０に接合される。絶縁性部材２２６の第２面２３４は、抵抗性部材２２４の第１面２２８に接合される。
【００２７】
加熱要素２２２は、第２絶縁性部材２３６を含んでもよい。第２絶縁性部材２３６は、第１面２３８及び反対側の第２面２４０を有してもよい。第２絶縁性部材２３６の第１面２３８は、抵抗性部材２２４の第２面２３０に接合されてもよい。
【００２８】
絶縁性部材２２４は、第１端部及び反対側の第２端部を有してもよい。電気コンタクトは、抵抗性部材２２４の各端部においてそれぞれ提供されてもよい。電気コンタクトは、銀を含んでもよい。他の導電性材料、例えば、アルミニウム、銅、金、スチール、真鍮、ニッケル、及びこれらの合金は、電気コンタクトに使用されてもよい。電流リードは、電気コンタクトに固定されて、エネルギーを抵抗性部材２２４に供給して抵抗性部材２２４を加熱するように構成される電気回路の一部を形成する。加熱要素２２２の抵抗性部材２２４は、加熱器バー２２の上方又は皮膚に接触する面１０６に放散される熱を加熱器バー２２に供給し、剃毛中のユーザーの皮膚に温かさを提供する。
【００２９】
絶縁性部材２２６は、ガラス、ガラス−セラミック、セラミック、オキシド、又は他の誘電体材料で構成されてもよい。抵抗性部材２２４は、導電性粉末で充填されたゾル−ゲル溶液で構成されてもよい。コーティングは、均一で安定した分散をもたらすように、ゾル−ゲル溶液を約９０重量％までの導電性粉末の溶液と混合することによって形成してもよい。適した抵抗性部材は、国際公開第０２／０７２４９５（Ａ２）号に開示されている。抵抗性部材はまた、ニッケル、クロム、金、スチール、及び他の材料から構成されてもよい。抵抗性部材は好ましくは、約０．１Ω〜約１００Ω、より好ましくは約０．５Ω〜約２０Ω、最も好ましくは２Ωの抵抗を有する。第２絶縁性部材２３６は、ガラス、ガラス−セラミック、セラミック、オキシド、又は他の誘電体材料で構成されてもよい。抵抗性部材は、ゾル−ゲルプロセス、噴霧、浸漬、回転、刷毛塗り、印刷、スパッタリング、接着、又は他の好適な技法によって絶縁性部材に接合されてもよい。抵抗性部材２２４は、加熱器バー２２の皮膚に接触する面１０６を約３０℃〜約７０℃に加熱するのに十分なほどに温められてもよい。
【００３０】
本明細書に記載の（すなわち、反発力ではなく、引力を及ぼす）磁石要素５８、６０、１１２及び１１４は、磁気力によって引力を及ぼす構成要素であってもよく、又は磁気力によって引っ張られる構成要素であってもよいことが理解される。例えば、ハンドル用取り付け面の磁石要素は、金属を引き付ける材料であってもよく、ハウジング用取り付け面の磁石要素は、ハンドル用取り付け面の磁石要素によって引っ張られる金属材料（例えば、金属面）を含んでもよい（またその逆も然り）。特定の実施形態では、ハンドル用取り付け面及びハウジング用取り付け面の双方の磁石要素は、より改善された係合のように磁気力を及ぼしてもよい。本明細書に記載の任意の磁石要素は、セラミック磁石、アルニコ磁石、サマリウムコバルト磁石、ネオジム磁石、電磁石、又はこれらの組み合わせを含んでもよい。更に、本明細書に記載の任意の磁石要素はまた、剃毛環境によって生じる腐食に対する耐性を持たせるようにめっきされてもよく又はコーティングされてもよい（例えば、プラスチック、ゴム、又はニッケルによって）。
【００３１】
本明細書で開示する寸法及び値は、列挙された正確な数値に厳密に限られるとして理解されるべきではない。むしろ、特に断りがない限り、このような寸法は、列挙されている値と、その値周辺の機能的に同様の範囲の双方を意味するように意図されている。例えば、「４０ｍｍ」と開示された寸法は、「約４０ｍｍ」を意味することを意図する。
【００３２】
相互参照されるか又は関連する全ての特許又は特許出願、及び本願が優先権又はその利益を主張する任意の特許出願又は特許を含む、本願に引用される全ての文書は、特に除外すること又は限定することを明言しない限りにおいて、その全容にわたって本願に援用するものである。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００３３】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【図１】
2017501852.tif 000003
【図２Ａ】
2017501852.tif 000004
【図２Ｂ】
2017501852.tif 000005
【図３】
2017501852.tif 000006
【図４】
2017501852.tif 000007
【図５Ａ】
2017501852.tif 000008
【図５Ｂ】
2017501852.tif 000009
【図６】
2017501852.tif 000010
【図７】
2017501852.tif 000011
【図８】
2017501852.tif 000012
【国際調査報告】
2017501852.tif 000013
2017501852.tif 000014
2017501852.tif 000015
2017501852.tif 000016